(57)【特許請求の範囲】
【請求項１】
その内側に芯材を有する筒状のゴルフバッグ本体を製造するために、リベット、ビス、ピン、ボルト・ナット等の留め具が構造上必用とされ、前記留め具の一部が前記ゴルフバッグ本体の内側に露出されるゴルフバッグの製法、および／または、
前記ゴルフバッグ本体の外周部に、リベット、ビス、ピン、ボルト・ナット等の留め具によって、取手、ショルダーストラップ、ベルト、バックル、傘差し等の付属品および装飾品等の後付け品が取付けられ、前記留め具の一部が前記ゴルフバッグ本体の内側に露出されるゴルフバッグの製法であって、
前記ゴルフバッグ本体を形成する本体形成工程は、
芯材の一方主面が内面となるように、前記芯材を筒状体に形成する筒状体形成工程、
前記筒状体に被覆部を被覆する工程、および
前記被覆部が被覆された筒状体の軸方向の上端側および下端側に、それぞれ、口枠部および底枠部を取り付ける工程を含み、
前記筒状体形成工程は、
前記ゴルフバッグ本体に収納されるゴルフクラブと前記留め具の露出部位との当接を回避させるために、前記ゴルフクラブのシャフトが前記留め具の露出部位に接近するよりも前に前記ゴルフクラブのシャフトに当接される弾性を有した回避部材を、前記筒状体の軸方向の一端側から他端側にわたって延びるように前記芯材の一方主面に配設した後に、実施されることを特徴とする、ゴルフバッグの製法。
【請求項２】
前記回避部材は、前記筒状体の軸方向の一端側から他端側にわたって延びるように前記芯材の一方主面に配設される支持基材、および、前記支持基材の上面の長手方向に所定の間隔を隔てて配設され、クッション性を有した複数の突出部を含み、
前記本体形成工程は、
前記留め具の一部が前記ゴルフバッグ本体の内側に露出されたとき、前記留め具の露出部位および／または前記露出部位の少なくとも近傍に突出して、前記留め具の露出部位の高さよりも高く形成されるように、前記複数の突出部を前記支持基材の上面の長手方向に所定の間隔を隔てて配設する突出部形成工程を含み、
前記突出部形成工程の後に、前記筒状体形成工程が実施されることを特徴とする、請求項１に記載のゴルフバッグの製法。
【請求項３】
前記筒状体形成工程は、横長矩形状に形成された芯材の長手方向の一端側の一部が前記芯材の長手方向の他端側に重ね合わされ、その重ね合わされた部位を縫合すること、および／または、金属製の留め具で固着されることによって、前記芯材を円筒状に形成する工程を含み、
前記回避部材は、当該芯材の長手方向の一端側に形成され、前記支持基材は、縦長矩形状に形成され、前記複数の突出部は、当該支持基材の上面でその長手方向に所定の間隔を隔てて配設されることを特徴とする、請求項２に記載のゴルフバッグの製法。
【請求項４】
前記複数の突出部は、前記突出部が前記支持基材の長手方向に延びて配設されるものと、前記突出部が前記支持基材の幅方向に延びて配設されるものとが、混成配置されていることを特徴とする、請求項２または請求項３に記載のゴルフバッグの製法。
【発明の詳細な説明】
【技術分野】
【０００１】
【技術分野】
この発明は、ゴルフバッグの製法に関する。
【０００２】
図１０〜図１２は、本願発明の背景となる従来のゴルフバッグの製法の一例を示す説明図であって、図１０はその１つの工程を示し、図１１は他の工程を示し、図１２はさらに他の工程を示す説明図である。
従来のゴルフバッグ１は、たとえば図１０に示すように、ゴルフバッグ本体１ａを含み、ゴルフバッグ本体１ａは、筒状体２と、筒状体２の軸方向の上下に取付けられる口枠部３および底枠部４とを含む。筒状体２は、たとえば図１１に示すように、合成樹脂等で形成された芯材５を筒状に形成し、筒状に形成された芯材５に天然皮革および合成樹脂皮革等の被覆部６を被覆したものである。口枠部３および底枠部４は、それぞれ、ゴルフバッグ本体１ａの上端開口部および下端開口部の周囲に嵌合され縫合される。さらに、ゴルフバッグ本体１ａの外周部には、たとえば図１２に示すように、把持部７、Ｄ環８ａを有するバックル部８、装飾体９ａ，９ｂ等を含む付属品９が取付けられる。付属品９は、筒状体２および口枠部３等の外周部に、金属製のリベット等の留め具Ｒで固着されている。
【０００３】
しかし、このゴルフバッグ１では、たとえば図１３に示すように、ゴルフバッグ本体１ａの内面側において、留め具Ｒの先端部が露出されているため、ゴルフバッグ１に収納されたゴルフクラブＣが当該留め具Ｒの先端部と接触して、ゴルフクラブＣが傷付いてしまう恐れがあった。また、ゴルフクラブＣの出し入れの際に、当該留め具Ｒの先端部で使用者の手が傷つく恐れもあった。
そこで、こういった問題を回避するために、以下に示すような従来技術が提案されている。
【０００４】
すなわち、本願発明の背景となる従来技術には、たとえば筒形をしたクラブ投入口にリベットを介して締結されるマタギベルトを有するキャディバッグにおいて、リベットの頭部を隠す緩衝ベルトが設けられ、緩衝ベルトの一端をマタギベルトに縫い付けリベットを介してマタギベルトをクラブ投入口に締結した後で、マタギベルトに緩衝ベルトの背面を張り付ける手段として、マジックテープ（登録商標）が設けられたものがあった（例えば、特許文献１参照）。この従来技術では、リベットの係止部を隠す緩衝ベルトが設けられることによって、キャディバッグに入れられたゴルフクラブのシャフト等が金属製リベットの係止部に当たって損傷を受けることが回避される。
【０００５】
ところが、この従来技術では、リベットの露出を防ぐことは可能となるが、マタギベルト，緩衝ベルト，マジックテープ（登録商標）等の部品が必用となり、部品点数が多くなると共に、それらの部品をクラブ投入口に取付けるための作業工程も、従来方法より多くなるといった問題点があった。また、マタギベルトおよび緩衝ベルトと、マジックテープ（登録商標）との接合部分が剥がれてくる恐れがあった。
【０００６】
そこで、部品点数や作業工程を増やすことなく、リベットの露出しないキャディバッグの口枠部を製造する方法が提案されている。
すなわち、本願発明の背景となる他の従来技術には、キャディバッグの口枠部において、口枠部の上縁の合わせ目にＤ環を抱いたＵ字形状の金具を挟み、リベットで金具固定した後、口枠部の合わせ目全体を被うためのカバーの一端部を口枠部外側にリベットにより固定した後、Ｄ環を通して折り返し、カバーの他端部と口枠部とでキャディバッグ本体上端部を挟み合わせてキャディバッグ本体に縫い合わせることによって、口枠部内側にリベットのかしめ部が露出しないようにしたキャディバッグが提案されている（例えば、特許文献２参照）。この従来技術では、１枚のカバーによって金具およびリベットの露出を防いでいるので、上述した従来技術に比べて、部品点数と共に作業工程を少なくすることができる。
【０００７】
【特許文献１】
実用新案登録第２５９５３８４号公報（第２頁、図１）
【特許文献２】
特開平１１−２７６６５０号公報（第２−３頁、図１，図２）
【発明の開示】
【発明が解決しようとする課題】
【０００８】
しかしながら、特許文献２に示すような従来技術においても、Ｄ環を有するＵ字状の金具および１枚のカバー等の後付けする別部材が必用となり、依然として、部品点数と共にそれらの部品を口枠部に取付けるための作業工程も多くなる、といった不具合が解消されていない。しかも、部品の取付け作業も手間が掛かり、面倒なものであった。
【０００９】
それゆえに、本願発明の主たる目的は、部品点数、作業工程を極力少なくした簡単な構造により、ゴルフバッグ本体の内側に露出した留め具の露出部と、ゴルフバッグ本体に収納されたゴルフクラブとの当接によるゴルフクラブの損傷を防止することができる、ゴルフバッグの製法を提供することである。
【００１０】
請求項１にかかる本願発明は、その内側に芯材を有する筒状のゴルフバッグ本体を製造するために、リベット、ビス、ピン、ボルト・ナット等の留め具が構造上必用とされ、留め具の一部がゴルフバッグ本体の内側に露出されるゴルフバッグの製法、および／または、ゴルフバッグ本体の外周部に、リベット、ビス、ピン、ボルト・ナット等の留め具によって、取手、ショルダーストラップ、ベルト、バックル、傘差し等の付属品および装飾品等の後付け品が取付けられ、留め具の一部が前記ゴルフバッグ本体の内側に露出されるゴルフバッグの製法であって、ゴルフバッグ本体を形成する本体形成工程は、芯材の一方主面が内面となるように、芯材を筒状体に形成する筒状体形成工程と、筒状体に被覆部を被覆する工程と、被覆部が被覆された筒状体の軸方向の上端側および下端側に、それぞれ、口枠部および底枠部を取り付ける工程とを含み、筒状体形成工程は、ゴルフバッグ本体に収納されるゴルフクラブと留め具の露出部位との当接を回避させるために、ゴルフクラブのシャフトが留め具の露出部位に接近するよりも前にゴルフクラブのシャフトに当接される弾性を有した回避部材を、筒状体の軸方向の一端側から他端側にわたって延びるように芯材の一方主面に配設した後に、実施されることを特徴とする、ゴルフバッグの製法である。
請求項１にかかる本願発明では、筒状体形成工程により、芯材の一方主面が内面となるように当該芯材が筒状体に形成される。この場合、弾性を有する回避部材が、筒状体の軸方向の一端側から他端側にわたって延びるように、回避部材を芯材の一方主面に配設した後で、筒状体形成工程が実施される。回避部材は、筒状のゴルフバッグ本体内にゴルフクラブが収納されたときに、ゴルフクラブのシャフトが留め具の露出部位に接近するよりも前に当該ゴルフクラブのシャフトに当接される。そのため、ゴルフクラブと、ゴルフバッグ本体の内側に露出された留め具の露出部とが、当接することを回避させることができ、また、回避部材は弾性を有するので、ゴルフクラブのシャフトと回避部材とが当接しても、当該ゴルフクラブのシャフトが傷つくことも防止される。
請求項１にかかる本願発明では、留め具の露出部位とゴルフクラブとの接触を回避させるために、従来技術のような別部材を必用とせず、ゴルフバッグ本体の内面となる芯材の一方主面に弾性を有した回避部材を配設するだけの簡単な構造となっているため、従来技術と比べて、部品点数、作業工程が極力少なくなっている。
請求項２にかかる本願発明は、請求項１に記載の発明に従属する発明であって、回避部材は、筒状体の軸方向の一端側から他端側にわたって延びるように芯材の一方主面に配設される支持基材と、支持基材の上面の長手方向に所定の間隔を隔てて配設され、クッション性を有した複数の突出部とを含み、本体形成工程は、留め具の一部がゴルフバッグ本体の内側に露出されたとき、留め具の露出部位および／または露出部位の少なくとも近傍に突出して、留め具の露出部位の高さよりも高く形成されるように、複数の突出部を支持基材の上面の長手方向に所定の間隔を隔てて配設する突出部形成工程を含み、突出部形成工程の後に、筒状体形成工程が実施されることを特徴とする、ゴルフバッグの製法である。
請求項２にかかる本願発明では、突出部形成工程により、留め具の一部がゴルフバッグ本体の内側に露出されたとき、留め具の露出部位および／または露出部位の少なくとも近傍に突出して、留め具の露出部位の高さよりも高く形成されるように、クッション性を有する複数の突出部が支持基材の上面の長手方向に所定の間隔を隔てて配設される。
突出部が留め具の露出部位の近傍で突出している場合には、留め具の露出部位と突出部との間には、両者の高さの違いによる段差（高低差）が形成される。そのため、ゴルフバッグ本体にゴルフクラブが収納された場合、ゴルフクラブのシャフトは、突出部に当接するだけで、留め具の露出部位には当接することがない。すなわち、ゴルフバッグ本体の内側に、留め具の露出部位よりも高さの高い突出部が配設されたことにより、ゴルフクラブが留め具の露出部位に接近するよりも前に、当該突出部がゴルフクラブのシャフト等に当接されるため、ゴルフクラブと留め具の露出部位とが当接することを回避させることが可能となる。しかも、突出部は、クッション性を有しているため、突出部とゴルフクラブとが当接しても、ゴルフクラブのシャフト等が傷つくことはない。
一方、突出部が留め具の露出部位に対応する箇所で突出する場合には、突出部がクッション性を有しているため、留め具の露出部位が突出部の一部を凹ませた状態となり、露出部位は突出部の凹み部分に沈み込む態様となる。このとき、留め具の露出部位の先端部と突出部の凹んでいない部分との間には、段差（高低差）が形成されるので、ゴルフバッグ本体にゴルフクラブが収納された場合、ゴルフクラブのシャフトは、突出部（突出部の凹んでいない部分）に当接するだけで、留め具の露出部位には当接することがない。そのため、ゴルフクラブと留め具の露出部位とが当接することを回避させることが可能となる。しかも、突出部は、クッション性を有しているため、突出部とゴルフクラブとが当接しても、ゴルフクラブのシャフト等が傷つくことはない。
請求項２にかかる本願発明では、留め具の露出部位とゴルフクラブとの接触を回避させるために、従来技術のような別部材を必用とせず、ゴルフバッグ本体の内側で、留め具の露出部位および／または露出部位の少なくとも近傍に突出したクッション性を有する突出部を設けるだけの簡単な構造となっているため、従来技術と比べて、部品点数、作業工程が極力少なくなっている。
請求項３にかかる本願発明は、請求項２に記載の発明に従属する発明であって、筒状体形成工程は、横長矩形状に形成された芯材の長手方向の一端側の一部が芯材の長手方向の他端側に重ね合わされ、その重ね合わされた部位を縫合すること、および／または、金属製の留め具で固着されることによって、芯材を円筒状に形成する工程を含み、回避部材は、当該芯材の長手方向の一端側に形成され、支持基材は、縦長矩形状に形成され、複数の突出部は、当該支持基材の上面でその長手方向に所定の間隔を隔てて配設されることを特徴とする、ゴルフバッグの製法である。
請求項４にかかる本願発明は、請求項２または請求項３に記載の発明に従属する発明であって、複数の突出部は、当該突出部が支持基材の長手方向に延びて配設されるものと、当該突出部が支持基材の幅方向に延びて配設されるものとが、混成配置されていることを特徴とする、ゴルフバッグの製法である。
【００１１】
本願発明によれば、部品点数、作業工程を極力少なくした簡単な構造により、ゴルフバッグ本体の内側に露出した留め具の露出部と、ゴルフバッグ本体に収納されたゴルフクラブとの当接によるゴルフクラブの損傷を防止することができる、ゴルフバッグの製法が得られる。
【００１２】
本願発明の上述の目的、その他の目的、特徴および利点は、図面を参照して行う以下の発明を実施するための最良の形態の説明から一層明らかとなろう。
【図面の簡単な説明】
【００１３】
【図１】本願発明にかかるゴルフバッグの実施形態の一例およびその使用状態を示す図であって、（Ａ）はその要部斜視図であり、（Ｂ）はその要部側面図であって、（Ｃ）はその要部拡大図である。
【図２】本願発明にかかるゴルフバッグの製法の１つの工程を示す説明図であって、（Ａ）は突出部の一例を示す正面図であり、（Ｂ）は（Ａ）に示す突出部の側面図であり、（Ｃ）は突出部を芯材に取付けた状態を示す正面図である。
【図３】本願発明にかかるゴルフバッグの製法の他の工程を示す説明図である。
【図４】本願発明にかかるゴルフバッグの製法のさらに他の工程を示す説明図である。
【図５】本願発明にかかるゴルフバッグの製法のさらに他の工程を示す説明図である。
【図６】（Ａ）は、本願発明にかかるゴルフバッグの作用・効果を示す要部拡大側面図であり、（Ｂ）は、作用・効果の他の例を示す要部拡大側面図である。
【図７】（Ａ）は、本願発明にかかるゴルフバッグの実施形態の他の例を示す要部拡大正面図であり、（Ｂ）は、（Ａ）の変形例を示す要部拡大正面図である。
【図８】（Ａ），（Ｂ），（Ｃ）は、本願発明にかかるゴルフバッグの実施形態のさらに他の例を示す要部拡大正面図である。
【図９】（Ａ），（Ｂ），（Ｃ）は、本願発明にかかるゴルフバッグの実施形態のさらに他の例を示す要部拡大正面図である。
【図１０】本願発明の背景となる従来のゴルフバッグの製法の１つの工程を示す説明図である。
【図１１】本願発明の背景となる従来のゴルフバッグの製法の他の工程を示す説明図である。
【図１２】本願発明の背景となる従来のゴルフバッグの製法のさらに他の工程を示す説明図である。
【図１３】本願発明の背景となる従来のゴルフバッグの製法によって製造されたゴルフバッグにゴルフクラブを収納した状態を示す説明図であって、（Ａ）はその要部斜視図であり、（Ｂ）はその要部側面図であって、（Ｃ）はその要部拡大図である。
【符号の説明】
【００１４】
１０  ゴルフバッグ
１２  ゴルフバッグ本体
１４  筒状体
１６  口枠部
１８  底枠部
２０  芯材
２２  被覆部
２４  取手部
２６ａ  Ｄ環
２６  バックル部
２８，３０  装飾体
３２  付属品
３４  留め具が締結・固着される箇所
３６  留め孔
４０  回避部材
４２  支持基材
４４  突出部
４５  突出部の凹んでいない部分
４６  突出部の凹み部分
Ｒ    留め具
Ｒａ  留め具の頭部
Ｒｂ  留め具の軸部
Ｒｃ  留め具の座金部
Ｒｄ  留め具の新たな頭部（カシメ部）
Ｃ    ゴルフクラブ
【発明を実施するための最良の形態】
【００１５】
本願発明にかかるゴルフバッグおよびその製法は、収納されたゴルフクラブが、ゴルフバッグ本体の内周面側に露出する金属製のリベット等の留め具に当たって傷つくのを防止するという主たる目的を、部品点数および作業工程を多くすることなく、ゴルフバッグ本体の内周面に、弾性を有すると共に留め具の露出部よりも高さの高い突出部を、留め具の露出部および／または露出部の近傍に設けることによって実現した。
【００１６】
図１は、本願発明にかかるゴルフバッグの実施形態の一例およびその使用状態を示す図であって、（Ａ）はその要部斜視図であり、（Ｂ）はその要部側面図であって、（Ｃ）はその要部拡大図である。また、図２，図３，図４および図５は、それぞれ、本願発明にかかるゴルフバッグの製法の工程を示す説明図である。
ゴルフバッグ１０は、図４，図５等に示すように、ゴルフバッグ本体１２を含む。ゴルフバッグ本体１２は、筒状体１４と、筒状体１４の軸方向の上下に取付けられる口枠部１６および底枠部１８とを備える。筒状体１４は、図２に示すように、合成樹脂等で形成されたたとえば横長矩形状の芯材２０を含む。芯材２０は、たとえば図３に示すように、円筒状に形成され、筒状体１４が構成される。筒状体１４は、たとえば図１および図２に示すように、芯材２０の長手方向の一端側の一部が、該芯材２０の長手方向の他端側に重ね合わされ、その重ね合わされた部位（接合部位）を縫合すること、および／または、金属製の留め具Ｒで固着することによって、円筒状に形成される。
【００１７】
また、筒状体１４には、天然皮革および合成樹脂皮革等の被覆部２２が被覆される。口枠部１６および底枠部１８は、それぞれ、ゴルフバッグ本体１２の上端開口部１２ａおよび下端開口部１２ｂの周囲に嵌合され縫合される。さらに、ゴルフバッグ本体１２の外周部には、図５に示すように、取手部２４、Ｄ環２６ａを有するバックル部２６、装飾体２８、３０等を含む付属品３２が取付けられる。付属品３２は、たとえば図５に示すように、留め具Ｒによって、ゴルフバッグ本体１２および口枠部１６の外周部に固着される。
【００１８】
ゴルフバッグ本体１２を形成するために、ゴルフバッグ本体１２の構成部品である筒状体１４に留められ得る留め具Ｒ、および／または、ゴルフバッグ本体１２の外周側に付属品３２を取付けるための留め具Ｒは、当該留め具Ｒの一部がゴルフバッグ本体１２の内側に位置する芯材２０の内面側に露出されている。留め具Ｒとしては、リベット、ビス、ピン、ボルト・ナット等種々の留め具が適宜用いられ得る。
なお、本実施形態例では、留め具Ｒは、たとえば図５に示すように、たとえば頭部Ｒａ、軸部Ｒｂおよび座金部Ｒｃで構成されたリベットが用いられ、たとえばゴルフバッグ本体１２の筒状体１４の外方からリベット打ちされる。この場合、留め具Ｒの軸部Ｒｂは、たとえば図１（Ｃ）に示すように、該留め具Ｒが締結・固着される箇所３４に設けられた留め孔３６および座金部Ｒｃに挿通され、軸部Ｒｂの先端部がつぶされて新たな係止頭部Ｒｄが成形される。座金部Ｒｃおよび係止頭部Ｒｄが芯材２０の内面側に、露出部として形成される。
【００１９】
本実施形態例では、特に、ゴルフクラブＣと留め具Ｒの露出部位である係止頭部Ｒｄとの当接を回避させるために、図２に示すように、芯材２０の長手方向の一端側に回避部材４０が形成されている。回避部材４０は、たとえば縦長矩形状の支持基材４２を含む。支持基材４２の一方主面には、その長手方向に所定の間隔を隔てて複数の突出部４４が配設される。複数の突出部４４は、それぞれ、たとえば横長矩形状で断面半円形に形成されている。複数の突出部４４は、それぞれ、支持基材４２の一方主面から膨出して形成されている。
【００２０】
また、回避部材４０の支持基材４２および突出部４４は、弾性を有する材料で一体的に形成されている。本実施形態例では、支持基材４２および突出部４４が、ウレタンフォーム等の発泡プラスチック材料、ゴム材料、その他、クッション性，柔軟性に富んだ材質のもので一体的に形成されている。
【００２１】
回避部材４０は、複数の突出部４４の内のいずれかの突出部４４が、留め具Ｒの露出部（座金部Ｒｃおよび係止頭部Ｒｄ）の近傍に突出するように、筒状体１４を形成する芯材２０に配設される。この場合、回避部材４０は、図２に示すように、芯材２０の長手方向の一端側にたとえば縫合されることによって、芯材２０の一方主面に配設される。
【００２２】
本実施形態例では、留め具Ｒの露出部位（座金部Ｒｃおよび係止頭部Ｒｄ）と回避部材４０の突出部４４との間に、双方の高低差による段差が形成されるため、たとえば図１および図６（Ａ）に示すように、ゴルフバッグ本体１２にゴルフクラブＣが収納された場合、筒状体１４の内面側において、ゴルフクラブＣのシャフトは、突出部４４に当接するだけで、留め具Ｒの露出部位（座金部Ｒｃおよび係止頭部Ｒｄ）には当接しない。すなわち、ゴルフバッグ本体１２の内側に、留め具Ｒの露出部位（座金部Ｒｃおよび係止頭部Ｒｄ）よりも高さの高い突出部４４が突出されることにより、ゴルフクラブＣが留め具Ｒの露出部位（座金部Ｒｃおよび係止頭部Ｒｄ）に接近するよりも前に、突出部４４がゴルフクラブＣのシャフトに当接される。したがって、ゴルフクラブＣと留め具Ｒの露出部位（座金部Ｒｃおよび係止頭部Ｒｄ）とが当接することを回避させることができる。しかも、突出部４４は、クッション性を有しているため、突出部４４とゴルフクラブＣとが当接しても、ゴルフクラブＣのシャフトが傷つくことを防止することができる。また、ゴルフクラブＣの出し入れの際に、留め具Ｒの露出部位（座金部Ｒｃおよび係止頭部Ｒｄ）で使用者の手が傷つく恐れも防止することができる。
【００２３】
また、突出部４４が留め具Ｒの露出部位（座金部Ｒｃおよび係止頭部Ｒｄ）に対応する箇所で突出させた合には、たとえば図６（Ｂ）に示すように、突出部４４がクッション性を有しているため、留め具Ｒの露出部位が突出部４４の一部を凹ませた状態となり、露出部位（座金部Ｒｃおよび係止頭部Ｒｄ）は突出部４４の凹み部分４６に沈み込む態様となる。この場合、留め具Ｒの露出部位の先端部（係止頭部Ｒｄ）と突出部４４の凹んでいない部分との間には、段差（高低差）が形成されるので、ゴルフバッグ本体１２にゴルフクラブＣが収納された場合、ゴルフクラブＣのシャフトは、突出部４４の凹んでいない部分４５に当接するだけで、留め具Ｒの露出部位（座金部Ｒｃおよび係止頭部Ｒｄ）には当接することがない。
【００２４】
本実施形態例のゴルフバッグおよびその製法では、上述したように、留め具Ｒの露出部位（座金部Ｒｃおよび係止頭部Ｒｄ）とゴルフクラブＣとの当接を回避させるために、従来技術のような別部材を必用とせず、ゴルフバッグ本体１２の筒状体１４を形成する芯材２０の内面側で、留め具Ｒの露出部位（座金部Ｒｃおよび係止頭部Ｒｄ）および／または露出部位（座金部Ｒｃおよび係止頭部Ｒｄ）の少なくとも近傍に突出したクッション性を有する突出部４４を突出させるだけの簡単な構造となっている。したがって、本実施形態例のゴルフバッグおよびその製法では、従来技術と比べて、部品点数、作業工程が極力少ないものとなっている。
【００２５】
なお、回避部材４０の突出部４４の形状および配置は、上述した実施形態例のものに限定されるものではなく、たとえば図７，図８および図９に示すように、種々の形状および配置に適宜設定され得る。
すなわち、図７に示す回避部材４０では、図１および図２に示すものと比べて、突出部４４が留め具Ｒの露出部位（座金部Ｒｃおよび係止頭部Ｒｄ）の上下近傍に配置されているだけで、留め具Ｒが取付けられていない箇所には、突出部４４が配置されない態様となっている。図７（Ｂ）に示す回避部材４０では、突出部４４が、図７（Ａ）に比べて、支持基材４２の幅方向にも間隔を隔てて配置されている。
また、図８（Ａ）に示す回避部材４０では、突出部４４が支持基材４２の長手方向に延びて配設されるものと、支持基材４２の幅方向に延びて配設されるものとが混成配置されている。図８（Ｂ）に示す回避部材４０では、突出部４４の形状が方形のものが混成配置されている。図８（Ｃ）に示す回避部材４０では、突出部４４の形状が円板形に形成されている。
さらに、図９（Ａ）に示す回避部材４０では、留め具Ｒの露出部位（座金部Ｒｃおよび係止頭部Ｒｄ）の上下近傍に、それぞれ、単一の三角形の突出部４４が配置されている。図９（Ｂ）に示す回避部材４０では、留め具Ｒの露出部位（座金部Ｒｃおよび係止頭部Ｒｄ）の上下近傍に、それぞれ、単一の半円形の突出部４４が配置されている。図９（Ｃ）に示す回避部材４０では、留め具Ｒの露出部位（座金部Ｒｃおよび係止頭部Ｒｄ）の周辺に複数の三角形の突出部４４が配置されている。
【産業上の利用可能性】
【００２６】
本願発明にかかるゴルフバッグの製法は、特に、金属製のリベット，ビス，ピン，ボルト・ナット等の留め具を用いて、ゴルフバッグ本体およびその口枠部に、取手、ショルダーストラップ、ベルト、バックル、傘差し、あるいは、種々の装飾品等を含む付属品が取付けられるゴルフバッグ、あるいは、ゴルフバッグ本体を構成するために、ゴルフバッグ本体の構成部品に留め具が留められ、ゴルフバッグ本体が筒状に形成されるゴルフバッグなどに用いられて好適なものとなる。
【図１】
0004235675.tif 000002
【図２】
0004235675.tif 000003
【図３】
0004235675.tif 000004
【図４】
0004235675.tif 000005
【図５】
0004235675.tif 000006
【図６】
0004235675.tif 000007
【図７】
0004235675.tif 000008
【図８】
0004235675.tif 000009
【図９】
0004235675.tif 000010
【図１０】
0004235675.tif 000011
【図１１】
0004235675.tif 000012
【図１２】
0004235675.tif 000013
【図１３】
0004235675.tif 000014